(57)【要約】      （修正有）【課題】リレーアタックを防止可能なキーケースを提供する。【解決手段】皮革又は合成皮革又は布製からなるリレーアタック防止用のキーケース１であって、キーケースはキーを収納可能な本体部３と本体部の先端側に連続して形成される蓋部２からなり、蓋部はキーケースの軸線方向に対して直角な線上で折り畳まれて本体部と上下に重り合い、本体部は内側の第一キー収納部４と外側に形成される第二キー収納部６を有し、第一キー収納部の内面はシート状の電磁波シールド材で被覆され、第一キー収納部の開口部は直角な線上を越えて前記蓋側に開口している。【選択図】図２
0003225195.tif 000002
【実用新案登録請求の範囲】
【請求項１】
皮革又は合成皮革又は布製からなるリレーアタック防止用のキーケースであって、
前記キーケースは、キーを収納可能な本体部と、前記本体部の先端側に連続して形成される蓋部からなり、
前記蓋部は、前記キーケースの軸線方向に対して直角な線上で折り畳まれて前記本体部と上下に重り合い、
前記本体部は、内側の第一キー収納部と、前記第一キー収納部の外側に形成される第二キー収納部を有し、
前記第一キー収納部の内面はシート状の電磁波シールド材で被覆され、
前記第一キー収納部の開口部は、前記直角な線上を越えて前記蓋側に開口している、
ことを特徴とするリレーアタック防止用キーケース。
【請求項２】
前記本体部及び前記蓋部には、磁力によって結合可能な磁石及び磁性体のいずれか一方がそれぞれに内蔵されている、
ことを特徴とする請求項１に記載のリレーアタック防止用キーケース。
【請求項３】
前記本体部及び前記蓋部には、面ファスナーによって結合可能な雄側と雌側のいずれか一方がそれぞれに固定されている、
ことを特徴とする請求項１に記載のリレーアタック防止用キーケース。
【請求項４】
前記本体部及び前記蓋部には、スナップボタンで結合可能な雄ボタンと雌ボタンのいずれか一方がそれぞれに固定されている、
ことを特徴とする請求項１に記載のリレーアタック防止用キーケース。
【考案の詳細な説明】
【技術分野】
【０００１】
本願考案は、自動車等のキーを収納するキーケースであって、特にリレーアタックを防止するために用いるキーケースに関する。
【背景技術】
【０００２】
近年の自動車等は、従来の鍵式ではなく、車両との間で無線通信を行い、両者が適正に認識できた場合にエンジンをスタート可能な状態とする携帯機による方法が主流となっている（本願明細書では、この携帯機をキーと呼ぶ）。
【０００３】
一方、こうした車両通信システムを搭載した高級車両がリレーアタックと呼ばれる手法によって盗難されてしまう事件が多発しており、大きな社会問題となっている。
【０００４】
このリレーアタックによる盗難対策として、特許文献１〜３に示すように通信システムで対応する技術が知られているが、システム開発に多額の費用を要するとともに、悪意の者によってシステムが破られてしまう危険性もある。
【先行技術文献】
【特許文献】
【０００５】
【特許文献１】特開２０１９−０４４５３５号公報
【特許文献２】特開２０１９−０４４４６７号公報
【特許文献３】特開２０１９−０４１３４８号公報
【考案の概要】
【考案が解決しようとする課題】
【０００６】
本願考案は、上記した高度なシステム技術に頼ることなく、簡単かつ安価な構成による機械的（アナログ）な方法によってリレーアタックを効果的に防止できるキーケースを提供するものである。
【課題を解決するための手段】
【０００７】
本願考案は、皮革又は合成皮革又は布製からなるリレーアタック防止用のキーケースであって、前記キーケースは、キーを収納可能な本体部と、前記本体部の先端側に連続して形成される蓋部からなり、前記蓋部は、前記キーケースの軸線方向に対して直角な線上で折り畳まれて前記本体部と上下に重り合い、  前記本体部は、内側の第一キー収納部と、前記第一キー収納部の外側に形成される第二キー収納部を有し、前記第一キー収納部の内面はシート状の電磁波シールド材で被覆され、前記第一キー収納部の開口部は、前記直角な線上を越えて前記蓋側に開口している、ことを特徴とする。
【考案の効果】
【０００８】
本考案によれば、皮革製又は合成皮革製、或いは布製のキーケースを用い、内面が電磁波シールド材で覆われた第一キー収納部にキーを収納した状態で蓋と本体を閉じることで、第一キー収納部の開口部が折り畳まれた状態となり、携帯機（本願で言うキー）から発信される電波を確実に遮断でき、簡単かつ安価な構成により、リレーアタックを防止することができる。
【図面の簡単な説明】
【０００９】
【図１】本考案に係るキーケースの全体像を示す斜視図
【図２】本考案に係るキーケースの蓋を開いた状態の平面図
【図３】本考案に係るキーケースの蓋を閉じた状態の側面図
【考案を実施するための最良の形態】
【００１０】
以下、本願考案の実施例について説明する。図１は、本願考案に係るキーケース１の全体を示す斜視図であり、キーケース１は、皮革製又は合成皮革製、或いは布製で構成され、蓋部２とキーを収納する本体部３からなり、蓋部２が折り畳まれて本体部と重なり合うことで、本体部３に収納したキーを保持するものである。蓋部２は、本体部３の先端側に連続して形成されている。
【００１１】
図２は、キーケース１を開いた状態の平面図である。本体部３には、内側と外側の２段に、キーを収納する第一キー収納部４（内側）及び第二キー収納部６（外側）が形成されている。
【００１２】
第一キー収納部４の内面には、キーから発信される電波が外部に漏れないよう、電磁波シールド性を有するシート状の電磁波シールド材（シール部材、図示せず）によって全面が被覆（縫い付け）されている。本実施形態で使用するシート状のシール部材は、セーレン株式会社製の導電性繊維（商品名：プラット）を用いている。当該導電性繊維は、柔らかさ・軽さという繊維の特性と、導電性・電磁波シールド性という金属の特性を併せ持つ素材である。なお、シート状のシール部材は、導電性繊維に限らず、電磁波シールド性を有するものであれば特に限定されない。
【００１３】
図２、図３に示すとおり、蓋部１は、キーケース１の軸線方向に対して直角な線（折り畳み仮想線１０）上で折り畳まれて前記本体部と上下に重り合うようになっている。このため、第一キー収納部４の開口部５は、蓋部２を閉じた状態で折り畳まれるため、キーから発信される電波が開口部５から外部に漏れることを、より効果的に防止できるようになっている。
【００１４】
また、蓋部２と本体部３には、蓋部２を閉じた状態を磁力によって保持するため、磁石８と磁性体９がそれぞれ埋め込まれている。なお、蓋部２を閉じた状態を保持する手段としては、面ファスナー又はスナップボタンであっても良い。その場合、雄方又は雌方をどちらに配置するかは適宜に決定すれば良い。
【００１５】
以下、本考案に係るキーケース１の使用方法について説明する。使用者が車を運転する状態において、使用者はキーを第二キー収納部６に収納して保持する。第二キー収納部６の内面は、電磁波シールを施していないため、キーから発せられる電波は車との間で通信される。
【００１６】
一方、使用者が運転を停止して車から離れる場合、使用者はキーを第二キー収納部６から第一キー収納部４に移し替えて収納し、保持する。第一キー収納部６の内面は、電磁波がシールされているため、キーから発せられる電波が外部に漏れることがなく、リレーアタックによって盗難されてしまう危険性がない。
【００１７】
以上のとおり本考案によれば、皮革製又は合成皮革製、或いは布製のキーケースを用い、内面が電磁波シールド材で覆われた第一キー収納部にキーを収納した状態で蓋と本体を閉じることで、第一キー収納部の開口部が折り畳まれた状態となり、キーから発信される電波を確実に遮断でき、簡単かつ安価な構成により、リレーアタックを防止することができる。
【符号の説明】
【００１８】
１  キーケース
２  蓋部
３  本体部
４  第一キー収納部
５  開口部
６  第二キー収納部
８  板状磁石
９  板状磁性体
１０  折り畳み仮想線
【図１】
0003225195.tif 000003
【図２】
0003225195.tif 000004
【図３】
0003225195.tif 000005